(57)【要約】【課題】コアドリル装置の取り付け及び調整を容易かつ確実に行うことのできる携帯可能なドリルスタンドを実現する。【解決手段】コアビット（２）を駆動するコアドリル装置（１）を支持するためのドリルスタンドは，コラム固定手段（４）と平面型の吸着・固定手段（７）とを有するベースプレートを具える。ベースプレートを，コラム固定手段（４）を設けたコラムプレート部分（３）と，吸着・固定手段（７）を設けた吸着プレート部分（６）とに区分し，コラムプレート部分（３）及び吸着プレート部分（６）を，被加工材料の表面と平行な平面（Ｅ）内で相対変位可能に固定する【選択図】図１
2004034713.tif 000002
【特許請求の範囲】
【請求項１】
　コアビット（２）を駆動するコアドリル装置（１）を支持するためのドリルスタンドであって，コラム固定手段（４）と平面型の吸着・固定手段（７）とを有するベースプレートを具え，該ベースプレートを，前記コラム固定手段（４）を設けたコラムプレート部分（３）と，前記吸着・固定手段（７）を設けた吸着プレート部分（６）とに区分し，コラムプレート部分（３）及び吸着プレート部分（６）を，被加工材料の表面と平行な平面（Ｅ）内で相対変位可能に固定することを特徴とするドリルスタンド。
【請求項２】
　請求項１記載のドリルスタンドにおいて，コラムプレート部分（３）を吸着プレート部分（６）に対して摩擦力の作用下で固定するためのクランプねじロッド（８）を具え，該クランプねじロッド（８）は，コアビット（２）の回転軸線（Ａ）に対して半径方向に延在する長孔（１０）を貫通させることを特徴とするドリルスタンド。
【請求項３】
　請求項２記載のドリルスタンドにおいて，前記クランプねじロッド（８）が，操作レバー（９）を具えることを特徴とするドリルスタンド。
【請求項４】
　請求項１〜３の何れか一項に記載のドリルスタンドにおいて，前記コラムプレート部分（３）が，その法線方向に調整可能な少なくとも２個のレベル調整手段（１１）を具えることを特徴とするドリルスタンド。
【請求項５】
　請求項１〜４の何れか一項に記載のドリルスタンドにおいて，前記コラムプレート部分（３）が水準器等のレベル表示手段（１２）を具えることを特徴とするドリルスタンド。
【請求項６】
　請求項１〜５の何れか一項に記載のドリルスタンドにおいて，前記コラムプレート部分（３）に，コアビット（２）の回転軸線（Ａ）に対して円周方向に互いに離間した，２本の平行なコラム（５）が固定されていることを特徴とするドリルスタンド。
【請求項７】
　請求項１〜６の何れか一項に記載のドリルスタンドにおいて，前記コラムプレート部分（３）が，コアビット（２）の回転軸線（Ａ）に向けて開放する凹所（１３）を具えることを特徴とするドリルスタンド。
【請求項８】
　請求項１〜７の何れか一項に記載のドリルスタンドにおいて，前記コラムプレート部分（３）が，吸着プレート部分（６）に対向する側で弧状を呈することを特徴とするドリルスタンド。
【発明の詳細な説明】
【技術分野】
【０００１】
　本発明は，コンクリート，壁材等の被加工材料に対する穿孔作業に使用するコアドリル装置を支持するための携帯式ドリルスタンドに関するものである。
【背景技術】
【０００２】
　コアドリル装置は大きなトルク及び切削力を発生するため，ドリルスタンドは，通常は被加工材料の表面上に固定する。
【０００３】
【特許文献１】ドイツ特許出願公開第３６０３８４７号公報
【特許文献２】ドイツ特許出願公開第１９７３１７７３号公報
【０００４】
　特許文献１に記載されたドリルスタンドは，ベースプレートにスタンドコラムと真空吸着カップとを配置する。この場合，吸着カップによりドリルスタンドを被加工材料の表面上に吸着・固定すると共にコアビットの回転軸線を位置決めするため，穿孔位置の事後調整は不可能である。
【０００５】
　特許文献２に開示された携帯式のドリルスタンドは，被加工材料の表面に打ち込んだアンカーボルトを調整可能に固定するための長孔と，コアドリル装置用のスタンドコラムを固定するための２個の支持ブロックとがベースプレートに設けられている。この場合，被加工材料の表面にアンカーボルトを予め打ち込んでドリルスタンドを固定するため，コストが嵩むだけでなく，被加工材料が表面において損なわれる。
【発明の開示】
【発明が解決しようとする課題】
【０００６】
　本発明の課題は，コアドリル装置の取り付け及び調整を容易かつ確実に行うことのできる携帯可能なドリルスタンドを実現することにある。
【課題を解決するための手段】
【０００７】
　この課題を解決するため，本発明は独立請求項に記載された事項を特徴としており，その好適な実施形態は従属請求項に記載したとおりである。
【０００８】
　すなわち，本発明によるドリルスタンドは，コラム固定手段と平面型の吸着・固定手段とを有するベースプレートを具え，該ベースプレートを，コラム固定手段を設けたコラムプレート部分と，吸着・固定手段を設けた吸着プレート部分とに区分し，コラムプレート部分及び吸着プレート部分を，被加工材料の表面と平行な平面内で相対変位可能に固定することを特徴とする。
【０００９】
　本発明によれば，ドリルスタンドのベースプレートを，コラムプレート部分と，吸着プレート部分とに区分し，コラムプレート部分及び吸着プレート部分を被加工材料の表面と平行な平面内で相対変位可能に固定する構成により，ドリルスタンドを平面型の吸着・固定手段により被加工材料の表面に対して容易に固定することが可能であり，コラムプレート部分及び吸着プレート部分の相対変位によりコアドリル装置の位置決め調整が可能である。
【００１０】
　本発明によるドリルスタンドは，コラムプレート部分を吸着プレート部分に対して摩擦力の作用下で固定するためのクランプねじロッドを具え，該クランプねじロッドを，コアビットの回転軸線に対して半径方向に延在する長孔を貫通させる構成とするのが好適である。この場合，コラムプレート部分と吸着プレート部分との間で，クランプねじロッドの中心軸線周りでの限定的な角度調整が可能であり，また，クランプねじロッドの長孔に沿う限定的な変位が可能である。
【００１１】
　クランプねじロッドには，手動操作用の操作レバーを設けるのが好適である。この場合には，工具を使用せずにクランプねじロッドを手動操作することが可能である。
【００１２】
　コラムプレート部分に，その法線方向に調整可能な少なくとも２個のレベル調整手段（例えば，レベル調整ねじ）を設けるのが好適である。この場合，吸着プレート部分における平面型の吸着・固定手段と相俟って，ドリル方向の調整に供するドリルスタンドを安定にレベル調整可能とする三点支持構造が達成される。
【００１３】
　コラムプレート部分に，円形水準器等のレベル表示手段を設けるのが好適である。この場合，水平及び垂直のドリル方向に対応するレベル調整作業を容易に行うことが可能である。
【００１４】
　ドリルスタンドには，コアビットの回転軸線に対して円周方向で対称的に互いに離間した２本の平行なスタンドコラムを固定するのが好適である。この場合，各スタンドコラムの断面積が小さくても，回転軸線周りの大きなねじり断面モーメントが得られる。また，軽量であっても十分なねじれ剛性が達成されるため，コアビットの大トルクを安定な支持条件下で被加工材料に伝達することが可能である。
【００１５】
　コラムプレート部分に，コアビットの回転軸線に対して開放した凹所を形成するのが好適である。この場合，コアビットをコンパクトに収めるためのスペースが容易に確保可能である。
【００１６】
　コラムプレート部分は，吸着プレート部分（６）に対向する側で弧状に形成するのが好適である。この場合，コラムプレート部分を吸着プレート部分に対して広範囲で角度調整することが可能である。
【発明を実施するための最良の形態】
【００１７】
　以下，本発明を図示の実施形態について更に具体的に説明する。
【００１８】
　図１に示す実施形態に係る携帯式ドリルスタンドは，コアビット２を装着したコアドリル装置１を支持するためのものであり，コラムプレート部分３及び吸着プレート部分６の二部分に区分されたベースプレートを有する。コラムプレート部分３には，直立したスタンドコラム５を固定するためのコラム固定手段４を構成する，剛性の高いコラムホルダが配置されている。他方，吸着プレート部分６には，平面型の真空吸着・固定手段７を構成する吸着リングが配置されている。コラムプレート部分３及び吸着プレート部分６は，コラムプレート部分３を貫通するクランプねじロッド８により，被加工材料の表面と平行な平面Ｅ内でクランプねじロッド８の中心軸線Ｓに対して直角方向に相対変位可能であり，かつ，摩擦力の作用下で固定可能となる。クランプねじロッド８には，手動操作用の操作レバー９が設けられている。コラムプレート部分３及び吸着プレート部分６は，平面Ｅの法線に対して軸線方向に調整変位可能な２本の調整ねじで構成される調整手段１１を具える。
【００１９】
　図２に示す実施形態において，クランプねじロッド８は，コアビット２の回転軸線Ａに対して半径方向に延在する長孔１０を貫通する。互いに調整変位可能なコラムプレート部分及び吸着プレート部分６は，それぞれ２本の調整ねじで構成される調整手段１１を具える。更に，コラムプレート部分３は，レベル調整手段１２として円形水準器を具えると共に，吸着プレート部分６に対向する側が弧状に形成されている。コアビット２の回転軸線Ａに対して対称的に円周方向に互いに離間した２本のスタンドコラム５が，コラムプレート部分３に対して直立状態で配置される。コラムプレート部分３には，コアビット２の回転軸線Ａに対して開放した凹所１３が形成されている。
【図面の簡単な説明】
【００２０】
【図１】本発明の一実施形態によるドリルスタンドの側面図である。
【図２】本発明の他の実施形態によるドリルスタンドの平面図である。
【符号の説明】
【００２１】
１　コアドリル装置
２　コアビット
３　コラムプレート部分
４　コラム固定手段
５　スタンドコラム
６　吸着プレート部分
７　吸着・固定手段
８　クランプねじロッド
９　操作レバー
１０　長孔
１１　調整手段
１２　レベル表示手段
１３　凹所
【図１】
2004034713.tif 000003
【図２】
2004034713.tif 000004